(57)【要約】【課題】  ある特定のノズルを基準ノズルとして、これと仕様が類似する類似ノズルを容易に検索することができるノズル情報検索システムを提供すること。【解決手段】  ネットワーク上のサーバーシステムにノズルカタログに基づいたデータベース２０を構築し、ノズル情報を検索できるようにしたノズル情報検索システムであって、入力された基準ノズルの識別情報に基づいて、データベース２０を検索するデータベース制御部２９と、抽出された基準ノズルのリストを表示させ、表示されたリストの中から１つの基準ノズルを選択させる表示画面を提供する手段２４ａと、この表示画面を介して選択された基準ノズルと仕様が類似する類似ノズルの類似条件を入力するための入力フォームを提供する手段２４ｂと、この入力フォームにより入力された類似条件に基づいて、データベース２０を検索して類似ノズルを抽出する前記データベース制御部２９とを備えた。【選択図】    図２
2005107670.tif 000002
【特許請求の範囲】
【請求項１】
ネットワーク上に設置されるサーバーシステムにノズルカタログに基づいたデータベースを構築し、ノズルユーザーがサーバーシステムにアクセスすることでノズル情報を検索できるようにしたノズル情報検索システムであって、
入力された基準ノズルの識別情報に基づいて、前記データベースを検索するデータベース検索手段と、
検索により抽出された基準ノズルのリストを表示させ、表示されたリストの中から１つの基準ノズルを選択させる表示画面を提供する手段と、
この表示画面を介して選択された基準ノズルと仕様が類似する類似ノズルの類似条件を入力するための入力フォームを提供する手段と、
この入力フォームにより入力された類似条件に基づいて、前記データベースを検索して類似ノズルを抽出する前記データベース検索手段とを備えたことを特徴とするノズル情報検索システム。
【請求項２】
前記入力フォームは、基準ノズルの仕様と類似ノズルの仕様とを対比した表形式で提供するように構成されていることを特徴とする請求項１に記載のノズル情報検索システム。
【請求項３】
前記類似条件には、圧力・流量・スプレー角度の特性が含まれることを特徴とする請求項１に記載のノズル情報検索システム。
【請求項４】
基準ノズルの圧力値・流量値を対とする組み合わせデータが複数存在する場合に、前記類似条件として、１つ又は複数の組み合わせを類似条件として指定できるように構成したことを特徴とする請求項３に記載のノズル情報検索システム。 
【請求項５】
前記流量値と前記流量値の検索許容範囲を入力できるように構成したことを特徴とする請求項４に記載のノズル情報検索システム。
【請求項６】
類似条件として、ノズルメーカー、バルブ機能、ストレーナ、オリフィス部材質、取り付け構造のうちの少なくとも１つについて、選択できるように構成したことを特徴とする請求項１〜５のいずれか１項に記載のノズル情報検索システム。
【請求項７】
類似条件として、スプレーパターンと流体の流入方向を選択可能に構成したことを特徴とする請求項１〜５のいずれか１項に記載のノズル情報検索システム。
【発明の詳細な説明】
【技術分野】
【０００１】
本発明は、ネットワーク上に設置されるサーバーシステムにノズルカタログに基づいたデータベースを構築し、ノズルユーザーがサーバーシステムにアクセスすることでノズル情報を検索できるようにしたノズル情報検索システム関する。
【背景技術】
【０００２】
かかるシステムとしてノズル情報検索システムが知られている（特許文献１参照) 。このシステムでは、ネットワーク（インターネット) 上に設置されるサーバーには、ノズルメーカーのノズルカタログに記載されたノズル情報をデータベース化し、ノズルユーザーがサーバーにアクセスすることで、自分の希望するノズル情報を検索することができる。かかるノズル情報検索システムを提供するために、サーバーシステムには種々のページ（ＷｅｂサイトあるいはＷｅｂページ) が構築される。そして、ユーザーにデータベースを検索して要望するノズルを検索してもらうために、検索条件を入力するための入力フォームを提供し、検索結果を画面に表示させる必要がある。
【特許文献１】特開２００３−２２３８６号公報 (特許請求の範囲等)
【発明の開示】
【発明が解決しようとする課題】
【０００３】
ノズルを要望するユーザーの立場から見ると、ノズルを検索するための検索条件は多様性があると考えられる。その中の１つとして、例えば、ユーザーが現在使用しているノズルと、同じノズルメーカーあるいは、異なるノズルメーカーについて仕様が類似しているノズルについての情報を知りたいことがある。あるいは、上記ノズルカタログに基づくデータベースを利用して、ノズルを検索した場合に、検索されたノズルと仕様が類似するノズルを検索して調べてみたいということもあると考えられる。
【０００４】
本発明は上記実情に鑑みてなされたものであり、その課題は、ある特定のノズルを基準ノズルとして、これと仕様が類似する類似ノズルを容易に検索することができるノズル情報検索システムを提供することである。 
【課題を解決するための手段】
【０００５】
上記課題を解決するため本発明に係るノズル情報検索システムは、
ネットワーク上に設置されるサーバーシステムにノズルカタログに基づいたデータベースを構築し、ノズルユーザーがサーバーシステムにアクセスすることでノズル情報を検索できるようにしたノズル情報検索システムであって、
入力された基準ノズルの識別情報に基づいて、前記データベースを検索するデータベース検索手段と、
検索により抽出された基準ノズルのリストを表示させ、表示されたリストの中から１つの基準ノズルを選択させる表示画面を提供する手段と、
この表示画面を介して選択された基準ノズルと仕様が類似する類似ノズルの類似条件を入力するための入力フォームを提供する手段と、
この入力フォームにより入力された類似条件に基づいて、前記データベースを検索して類似ノズルを抽出する前記データベース検索手段とを備えたことを特徴とするものである。
【０００６】
この構成によるノズル情報検索システムの作用・効果は、以下の通りである。検索システムの中核をなすデータベースは、ノズルカタログに記載されているデータに基づいて構築される。ノズルユーザーは、ある特定のノズルを基準ノズルとして、仕様が類似する類似ノズルを検索しようとする場合には、次のような手順を踏む。まず基準ノズルをデータベースから検索するために、基準ノズルの識別情報を入力する。識別情報としては、ノズルメーカーが付与しているノズル型番でもよいし、検索システムで独自に設定した識別情報でもよい。識別情報に基づいてデータベースを検索して、抽出された基準ノズルを表示させる。基準ノズルが抽出できる場合、１つ又は複数の基準ノズルが検索されるので、そのリストを画面に表示させる。次に、この画面上において基準ノズルを選択すると、類似ノズルの類似条件を入力するための入力フォーム表示画面へと移行する。この画面において基準ノズルと仕様が類似する類似ノズルを検索するための類似条件を入力する。データベース検索手段は、この入力された類似条件に基づいて、データベースを検索し類似ノズルを抽出して表示させる。 以上のように、ある特定のノズルを基準ノズルとして、これと仕様が類似する類似ノズルを容易に検索することができるノズル情報検索システムを提供することができる。
【０００７】
本発明の好適な実施形態として、前記入力フォームは、基準ノズルの仕様と類似ノズルの仕様とを対比した表形式で提供するように構成されているものがあげられる。
【０００８】
基準ノズルの仕様と類似ノズルの仕様を対比させた形で画面表示させれば、類似条件を確認しながら入力することができ、使い勝手のよい検索システムとすることができる。
【０００９】
本発明の好適な実施形態として、前記類似条件には、圧力・流量・スプレー角度の特性が含まれる。ノズルの特性として、圧力・流量・スプレー角度（噴射角度）特性はかなり大きなウェイトを占める。そこで、圧力・流量・スプレー角度特性を類似条件として入力すれば、ユーザーの要望する類似ノズルを容易に検索することができる。
【００１０】
本発明の別の好適な実施形態として、基準ノズルの圧力値・流量値を対とする組み合わせデータが複数存在する場合に、前記類似条件として、１つ又は複数の組み合わせを類似条件として指定できるように構成したものがあげられる。
【００１１】
ノズルカタログには、ノズルの特性として圧力値・流量値を対とした組み合わせデータが複数記載されているものがあり、データベースもこれらのデータをノズル情報として格納している。類似ノズルを検索する場合の類似条件として、ユーザーが実際に使用する圧力値や流量値における特性と類似するノズルを検索したいことが多い。そこで、上記のように圧力値・流量値の組み合わせを類似条件として指定できるようにすることで、ユーザーの要望する類似ノズルを検索しやすくなる。
【００１２】
本発明の更に別の好適な実施形態として、前記流量値と前記流量値の検索許容範囲を入力できるように構成したものがあげられる。
【００１３】
検索許容範囲を設定することで類似ノズルの検索を行いやすくできる。すなわち、 許容範囲の大きさを変えてみることで、類似ノズルの検索数が変わってくるからである。
【００１４】
本発明の更に別の好適な実施形態として、類似条件として、ノズルメーカー、バルブ機能、ストレーナ、オリフィス部材質、取り付け構造のうちの少なくとも１つについて、選択できるように構成したものがあげられる。
【００１５】
これらの条件も類似ノズルを検索するときに対象を絞り込むときなどに利用することができる。これにより、質の高い類似ノズルの検索を行うことができる。
【００１６】
本発明の更に別の好適な実施形態として、類似条件として、スプレーパターンと流体の流入方向を選択可能にしたものがあげられる。
【００１７】
スプレーパターンや流入方向が異なっていても類似ノズルと考えるユーザーがいるので、これらの特性についても選択できるようにすれば、ユーザーの要望する類似ノズルを検索しやすくなる。
【発明を実施するための最良の形態】
【００１８】
本発明に係るノズル情報検索システムの好適な実施形態を図面を用いて説明する。図１は、ノズル情報検索システムの構成を示す概念図である。
【００１９】
＜システム全体構成＞
このシステムは、データベースに構築されたノズル情報を提供する総合ノズルコンサルタント会社Ｃ（以下、コンサルタント会社と略し、サーバー管理者にも該当する。）の管理するサーバーシステム２と、ノズルユーザーＡ（以下、単に「ユーザー」と略す。）のクライアント装置１とがインターネットＢ（ネットワークに相当する) により接続されている。クライアント装置１は、一般的にはパソコンが使用され、インターネットに接続してホームページを閲覧するためのブラウザがインストールされている。また、ノズルメーカーＤのシステムにも接続されている。
【００２０】
サーバーシステム２は、いわゆるＷｅｂサーバを中核として構成されるものであり、ノズル情報検索システムを利用するために種々のページ（サイト) を用意している。このサイトマップについては、後述する。ページは、ＨＴＭＬファイルの形式でハードディスクに保存されている。また、サーバーシステムには、システム運用のために必要なソフトウェアとして、ＯＳ及び各種アプリケーションがインストールされている。また、世界各国のノズルメーカーが提供するノズルカタログ２１に基づいて、ノズル情報のデータベース２０を構築している。このデータベース２０の概要は、本出願人による前述の特許文献１に開示されている。
【００２１】
先ほど述べたようにデータベース２０には、ノズルカタログに基づいてノズル情報をデータベース化しているが、例えば、ノズル仕様情報とノズル型番情報とを対応付けてデータベースに登録している。また、ノズル型番情報と、その型番に対応する圧力、流量、噴射角、噴射パターン、材質等の仕様情報が登録される。従って、例えば、ユーザーの要望する流量の数値をキーワードとしてデータベース２０を検索することができる。また、各社のカタログ画像データ２１も入力されており、あるメーカーの型番が指定された場合は、その型番のノズルが掲載されているカタログの該当するページを検索することができるようになっている。これにより、ユーザーは、このデータベース２０を利用することで、世界のノズルメーカーのカタログ情報を取得することができる。
【００２２】
＜サーバーシステムの構成＞
次に、サーバーシステム２の制御ブロック構成を図２により説明する。送受信部２２は、ユーザー、コンサルタント会社等のパソコン（以下、外部パソコンと総称することがある。）からのアクセス要求に応じて、Ｗｅｂページ（ホームページ）データ（ＨＴＭＬデータ）や電子メールを送信する。また、外部パソコンにより入力されたデータ、電子メール等を受信する。この送受信部２２は、サーバーシステム２を構成するコンピュータにインストールされるプログラム（ＯＳ等）や通信インターフェースにより構成することができる。
【００２３】
Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２０の検索結果をＷｅｂページの形態に処理し（ＨＴＭＬデータを生成し）、外部パソコンへと送信する。
【００２４】
また、本発明において重要なＷｅｂページ処理部２４の機能を図２に示している。表示画面提供手段２４ａの機能は、ユーザーのパソコン画面に表示させるＷｅｂページデータを提供する機能である。Ｗｅｂページ記憶部２３に格納されているＷｅｂページをそのまま提供することもあるが、Ｗｅｂページ記憶部２３に記憶されているＷｅｂページと、データベース２０から抽出されたノズル情報とを組み合わせて新たなＷｅｂページデータを生成して、これをユーザーのパソコンに送信させることができる。また、ユーザーのパソコンから入力された各種データをＷｅｂページデータに組み込むこともできる。さらに、詳しくは後述するが、類似ノズルを検索するにあたり基準ノズルを選択させるための入力フォーム（これも表示画面の一種）や、選択された基準ノズルに類似する類似ノズルを検索する場合の類似条件を入力する入力フォームを提供する機能（入力フォーム提供手段２４ｂ）を有する。この入力フォームは、Ｗｅｂページ記憶部２３に格納されているＷｅｂページデータと、検索された基準ノズルのデータに基づいて生成されるＷｅｂページデータである。
【００２５】
類似条件処理手段２４ｃは、ノズルユーザーが入力した類似条件のデータを受け取ると、これを処理してデータベース制御部２９によるデータベース２０の検索を行わせる。
【００２６】
電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムがサーバーに多数格納されている。
【００２７】
データベース制御部２９（データベース検索手段に相当）は、ユーザーのパソコンから送信されてきたキーワード情報に基づいて、データベース２０の検索を行う。検索結果は、ＣＧＩシステム２６の機能により、Ｗｅｂページの形態でユーザーのパソコンに返信される。本発明において重要な機能は、基準ノズルを検索する機能と類似ノズルを検索する機能である。
【００２８】
Ｗｅｂページ記憶部２３には、Ｗｅｂページデータが多数格納されているが、本発明と特に関連するものについて図２に示している。本検索システムでは、４つの検索方法を提供しており、具体的には、スタンダード検索、エキスパート検索、ノズル仕様検索、類似ノズル検索の４つである。そのための検索ページを提供する。また、各検索用ページは、各種入力フォームを提供するためのＷｅｂページデータにより構成される。
【００２９】
＜サイトマップ＞
次に、Ｗｅｂページ記憶部２３に格納されているページ (サイト) の構成を図３〜図５のサイトマップにより説明する。各ページは、日本語（第１の言語）に基づいて作成した第１ページ群と、同じ内容を英語 (第２の言語）に基づいて作成した第２ページ群とにより構成されている。従って、第１ページ群も第２ページ群もサイトマップとしては同じ構成となる。また、各ページ群に含まれているページのうち特定のページについては、日本語と英語に加えて、ドイツ語、フランス語、イタリア語、スペイン語、中国語、韓国語、アラビア語、ロシア語、ポルトガル語（これらは第３の言語に相当）に基づいて記載されている。本システムは、世界各国に存在するユーザーに利用してもらうため、特定のページについては全部で１１カ国の言語に基づいて作成されている。これにより、利便性の高いシステムを提供することができる。
【００３０】
図３，４，５において、ページを番号で示している。番号を二点鎖線の枠で囲んでいるページは、別ウィンドウで起動するページを示す。ページ間のリンク関係を矢印で示している。ページの説明は概略にとどめ、本発明と関係するページについては、後で詳細に説明する。図３〜５には、サイトマップの全体を示しており、ページ間のリンク関係が違う図面にまたがる場合は、○付数字で矢印をつないでいる。また、図中、ひし形の記号は、何らかの判断処理が行われることを示している。
【００３１】
「１」はコンサルタント会社のトップページである。「２」は、ノズル情報検索システムのトップページである。「３」は、世界１１カ国の言語で本システムの案内がされていることを説明するページ（第２の特定ページ) である。「４」はキャンペーン中であることを説明するページである。「５」は目次ページである。
【００３２】
「６」はノズル情報検索システムのクイックガイドを示すページ (特定ページ) である。「７」は、システムの特徴を説明するページである。「８」はデータベース化されているノズルカタログ情報の内容を説明するページである。「９」は検索方法の種類を説明するページである。「１０」は、ノズル検索の操作を説明するページである。「１１」〜「１３」は、スタンダード検索の手順を説明するページである。「１４」はスタンダード検索の結果を表示するページである。「１５」はスタンダード検索の詳細結果を説明するページである。詳細結果において、カタログ画像をＰＤＦファイルで見ることができる。
【００３３】
「１６」〜「１９」はエキスパート検索の手順を説明するページである。「２０」は、エキスパート検索の結果を示すページである。「２１」はエキスパート検索の詳細結果を説明するページである。詳細結果において、カタログ画像をＰＤＦファイルで見ることができる。
【００３４】
「２２」はノズル仕様検索を説明するページである。「２３」は、ノズル仕様検索の結果を示すページである。「２４」は、ノズル仕様検索の詳細結果を説明するページである。「２５」は、類似ノズル検索の手順を示すページである。「２６」は、類似ノズル検索の結果を説明するページである。「２７」は、類似ノズル検索の詳細結果を説明するページである。「２８」は、単位換算を行うためのページである。このページは、単位換算を必要とするページにリンクさせている。
【００３５】
「２９」は、利用手続を説明するページである。「３０」は、サービス提供時間を説明するページである。「３１」は、利用料金と支払い方法を説明するページである。「３２」は、パソコンの推奨環境を説明するページである。「３３」は、利用規約を説明するページである。「３４」は、セキュリティポリシーを説明するページである。「３５」は、プライバシーポリシーを説明するページである。「３６」は、ＦＡＱ（よくある質問集）を説明するページである。「３７」は、問い合わせに関して説明するページである。「３８」は、サイトマップを説明するページである。「３９」は、サービスに関する表示をしたページである。「４０」は、カタログダウンロードを説明するページである。
【００３６】
「１０２」は、会員がログインするためのページである。すなわち、本システムを利用するためには、会員登録を予め行っておく必要がある。会員登録を行った後、ＩＤとパスワードを入力することで、システムの利用が可能になる。「４１」は、カタログ送付先情報の記入フォームを説明するページである。「４２」は、エラー表示をするためのページである。「４３」は、送信内容の確認をさせるためのページである。「４４」は、送信完了を知らせるページである。
【００３７】
「４５」は、会員登録申し込みのトップページである。「４６」は、無料サービスの案内を知らせるページである。「４７」は、エラー表示をするページである。「４８」は、会員登録の申し込みフォームをユーザーに提供するためのページである。「４９」は、会員登録の申し込み内容をユーザーに確認させるためのページである。「５０」「５１」は、会員登録申し込み完了を知らせるためのページである。
【００３８】
「５２」は、利用料金の支払いを説明するページである。「５３」は、利用料金決済完了を知らせるためのページである。
【００３９】
「５４」は、会員がログインするためのページである。「５５」は、ログインエラーを知らせるためのページである。このエラー表示がされた場合は、ユーザーは、ＩＤとパスワードの入力をやり直す。「５６」は、アクセス制限中であることを知らせるページである。「５７」は、システム停止中を知らせるページである。「５８」は、タイムオーバーを知らせるページである。本システムは、支払われた料金に対応した時間だけ利用できるようになっている。「５９」は、会員情報の確認と変更、利用時間の確認を説明するページである。
【００４０】
「６０」は、パスワードの変更をするためのページである。「６１」は、入力したＩＤとパスワードのエラーを知らせるためのページである。「６２」は、パスワードの変更完了を知らせるページである。「６３」は、ユーザーの住所・連絡先の確認と変更をするためのページである。「６５」は、住所・連絡先を変更するための入力フォームを提供するためのページである。「６６」は、入力エラーを知らせるためのページである。「６７」は、住所・連絡先の変更内容を確認するためのページである。「６８」は、住所・連絡先の変更が完了したことを知らせるページである。
【００４１】
「６９」は、ＩＤとパスワードの確認をするためのページである。「７０」は、入力エラーを知らせるためのページである。「７１」は、ＩＤとパスワードの表示をするページである。「７２」は、システムの利用状況を確認するためのページである。「７３」は、利用状況を知らせるためのページである。
【００４２】
「７４」は、退会申請の入力フォームを提供するためのページである。「７５」は、退会手続完了を知らせるためのページである。
【００４３】
次に、検索基本パターンのサイトマップを図５により説明する。
【００４４】
「７６」は、利用残り時間を表示するページである。これは、検索基本パターンにおける各ページに共通のボタンとして設定されている。「７７」は、検索方法を説明するページである。検索方法としては、ノズル型番に基づいた検索と、ノズルの仕様に基づいた検索と、似た性能のノズルも検索できる類似ノズル検索がある。型番検索は、概略条件を入力することで検索するスタンダード検索と、詳細条件を入力することで検索するエキスパート検索とがある。すなわち、４通りの検索方法を提供する。
【００４５】
「７８」〜「８０」は、スタンダード検索のための入力フォームを提供するページ（第１〜第３手段）である。「８１」は、スタンダード検索の検索結果の一覧表を表示するページである。「８２」は、検索エラー（無検索) を表示するためのページである。「８３」は、スタンダード検索結果の詳細表示をするためのページである。このページにおいて、検索されたノズルのカタログ画像をＰＤＦファイルで表示させることができる。「Ｍ」は、メールソフトが起動することを示す。すなわち、検索されたノズル群のうち、ユーザーが選択したノズルのメーカーに対して電子メールを送信可能である。「８４」は、電子メール送信不可であることを表示するページである。
【００４６】
「８５」〜「８８」は、エキスパート検索のための入力フォームを提供するページ (第４〜第７手段) である。「８９」は、エキスパート検索の検索結果の一覧表を表示するページである。「９０」は、検索エラーを表示するためのページである。「９１」は、エキスパート検索結果の詳細表示をするためのページである。カタログ画像と電子メールに関しては、スタンダード検索と同様である。
【００４７】
「９２」は、ノズル仕様検索のための入力フォームを提供するページである。「９３」は、ノズル仕様検索の検索結果の一覧表を表示するページである。「９４」は、検索エラーを表示するためのページである。「９５」は、ノズル仕様検索結果の詳細表示をするためのページである。カタログ画像と電子メールに関しては、スタンダード検索と同様である。
【００４８】
「９６」は、類似ノズル検索のための入力フォームを提供するページである。「９７」は、ノズル仕様検索の検索結果の一覧表を表示するページである。「９８」は、検索エラーを表示するためのページである。「９９」は、ノズル仕様検索結果の詳細表示をするためのページである。カタログ画像と電子メールに関しては、スタンダード検索と同様である。
【００４９】
「１００」は、単位換算のためのページである。ノズルカタログで使用されている圧力や流量の単位は、メーカー間による統一がされていない。そこで、ユーザーの使いやすい単位に変換できるようにしている。「１０１」は、複数ログインエラーを知らせるページである。「１０２」は、会員ログインのためのページである。「１０３」は、ログアウト確認のためのページである。
【００５０】
＜検索方法の選択＞
次に、本発明に係るノズル情報検索システムにおける４つの検索方法の選択を説明する。図６は、検索方法を選択するためのページの表示構成例を示す。ここに示すように、本検索システムは４つの検索方法を提供する。すなわち、ノズル型番検索として、スタンダード検索とエキスパート検索、ノズル仕様検索と、類似ノズル検索である。画面上の「検索画面へ」と書かれたボタン４０をクリックすれば、夫々の検索画面へと移行する。なお、画面右上の、「ご利用残り時間」をクリックすれば、残り時間を知ることができる (図５の「７６」で示すページ) 。以下、各検索方法のうちスタンダード検索と類似ノズル検索を順番に説明する。
【００５１】
＜スタンダード検索＞
スタンダード検索は、概略の検索条件を入力して、ノズル型番を多数検索する方法である。広範囲で多数のノズル型番を検索することができる。スタンダード検索では、３段階に分けて検索条件を入力可能である。図６に示す画面において、スタンダード検索を選択すると、まず図７に示すようなステップ１の検索画面 (入力フォーム) に移行する。これは第１手段の機能に基づく。
【００５２】
画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。
【００５３】
図８は、スタンダード検索の第２ステップの検索画面 (入力フォーム) を示す図である。これは第２手段の機能に基づく。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図７の検索画面に戻ることができる。
【００５４】
ステップ２では、スプレーパターンを選択する。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図８に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」ボタンをクリックしてステップ３に進む。
【００５５】
図９は、ステップ３の検索画面 (入力フォーム) の構成例を示す図である。これは第３手段の機能に基づく。ステップ３では、概略のノズル仕様を検索条件として入力する。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。
【００５６】
画面の下部にノズル仕様を入力するための入力フォームが示される。具体的には、流体圧力と噴射流体流量とスプレー角度とを入力できる。流体圧力を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流体流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。
【００５７】
また、噴射流体流量とスプレー角度については、許容範囲も入力できるような入力欄４４も設けている。これは、もし許容範囲を入れない場合は、入力した流体圧力に対応する噴射流体流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。そこで、本検索システムでは、許容範囲も入力させるようにして、確実に検索できるようにしている。
【００５８】
ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。これにより、広範囲にわたってノズルを検索することができる。
【００５９】
図１０は、スタンダード検索における検索結果の一覧表を表示する画面の構成例である。この画面においても、検索条件を表示する表示エリア４１が設けられている。機能は同じである。
【００６０】
一覧表は、画面の下部に示される。表の項目として、システムコード、メーカー、国籍、カタログ言語、メーカー型番、圧力値、単位、単位選択、流量値、単位、単位選択、スプレー角度が図示されている。図示の都合で示してはいないが、材質、ネジの規格・サイズ・オスメスの区別、バルブ、ストレーナについての項目も設けられる。このように、検索結果をノズル型番として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。また、検索結果を更に絞込みたい場合は、エキスパート検索に行くことができる。この場合も、画面下にある「エキスパート検索」と記載されたボタンをクリックすればよい。これについては後述する。
【００６１】
一覧表に表示されている各社のノズルのうちの、特定のノズル型番のノズルについて詳細に知りたい場合は、一覧表の中のメーカー型番の枠内（例えば、図番４６で示している箇所) をクリックすればよい。これにより、図１１，１２に示す、検索結果詳細表示の画面に移行する。図１１の画面を下方にスクロールすれば図１２の画面になる。
【００６２】
図１１の画面においても、上部に表示エリア４１が設けられている。機能は、すでに説明した通りである。また、単位換算表のためのクリックボタン４２も設けられている。
【００６３】
選択したノズル型番についての詳細表示が一覧表４８として表示されている。そのノズルのメーカーのＵＲＬも表示されており、メーカーのホームページもすぐに見ることができる。図１２に示すように、圧力−流量特性表４９と圧力−スプレー角度特性表５０が表示されており、単位も選択できる。異なる単位を選択すると、演算処理がされ、選択した単位に対応した数値に変換される。
【００６４】
一覧表４８の下方には、検索されたノズルに関連したノズルカタログのページ５１がサムネイル画像として表示されている。そのページの箇所をクリックすると、画像が拡大されてカタログ画像を通常の大きさで見ることができる。
【００６５】
画面の下部には、「添付メーラー起動」と記載されたボタン５２が設けられている。ユーザーは、メーカーに対して問い合わせを行いたい場合は、このボタン５２をクリックすればよい。これにより、電子メールのソフトウェアが自動的に起動する。また、宛先にもそのメーカーのメールアドレスが既に入力された状態となっている。
【００６６】
先ほどと同様に、新たに検索条件を入力したい場合は、「検索方法」の選択と記載されたボタン５３をクリックすればよい。
【００６７】
＜類似ノズル検索＞
次に類似ノズル検索について説明する。 図１３は、類似ノズル検索を行う場合の手順を示すフローチャートである。
【００６８】
まず、先ほど説明した検索方法を選択する画面（図６参照）において類似ノズル検索を選択すると、図１４に示すようなステップ１の検索画面に移行する。類似ノズルを検索する場合には、基準となる基準ノズルを指定する必要がある。そこで、ステップ１として基準ノズルの型番（識別情報に相当）を入力する（＃１）。型番を指定する方法としては２つ方法があり、ノズル型番を入力する方法とシステムコード（図にはＳＧＳと表記されている。) を入力する方法である。ノズル型番は、メーカーのノズルカタログに記載されている型番である。ノズル型番としては、ノズル型番を構成する数字・文字・記号の組み合わせを入力欄６０に入力するが、型番情報を完全に入力する必要はない。その一部を入力すれば、その一部の型番情報を含んでいるすべてのノズルが検出されることになる。型番情報をすべて入力すれば、１つのノズルのみが検索される。また、システムコードは、本検索システムにおいて独自に付与される識別情報のことであり、例えば、６桁の数値データにより構成される。システムコードに基づいて検索することもできる。システムコードは、例えば、図１０のスタンダード検索結果の一覧表において表示されており、これに基づいて入力することができる。
【００６９】
上記いずれかの基準ノズルの識別情報を入力した後、検索開始ボタン６１をクリックする。サーバーシステムは、送信されてきたノズルの識別情報に基づいてデータベース２０の検索を行う。検索を行った結果、基準ノズルが検索できた場合は、次段階のステップの検索画面に移行するが、検索できなかった場合には図１５に示すような無検索結果を示す表示画面へと移行する（＃４）。これは検索しようとした型番のノズルがデータベース２０に存在しないか、間違えて入力したかのいずれかであると考えられるので、再度ステップ１の検索画面に戻って入力をやり直す。
【００７０】
ステップ２において、１件以上の基準ノズルを検索できた場合には、ステップ＃３に移行する。このときの表示画面は図１６に示される。ここには、検索された基準ノズルが一覧表６２の形で表示される。表示されるのは、システムコードの他、メーカー名、メーカー型番、オリフィス部材質、バルブ有無、ストレーナ有無等である。複数の基準ノズルが表示された場合には、そのいずれかの基準ノズルを選択して次段階の検索画面に移行することができる。すなわち、 類似ノズルを検索するための基準ノズルの仕様を選択することができる。そのため、図１６において、いずれかの基準ノズルを選択するが、選択方法は、例えば、画面上のシステムコードの個所６３をクリックすることで行うことができる。
【００７１】
いずれか１つの基準ノズルを選択すると、図１７及び図１８に示すようなステップ３の検索画面に移行する。これは類似ノズルを検索する場合の類似条件を入力するための検索画面の構成例を示している。類似条件を入力しやすいように、選択した基準ノズルの仕様と類似ノズルの仕様とを対比させた表形式で画面表示をさせている。ここで類似条件として、ノズルメーカーやバルブ機能の有無、ストレーナの有無を選択できるようにしている。ラジオボタンにチェックを入れれば有無の選択をすることができる。ノズルメーカーについては、指定しないこともできるし、他のノズルメーカーを選択することもできる。バルブ機能については、有無の指定の他、指定しないこともできる。ストレーナについても有無の指定の他、 指定しないこともできる。
【００７２】
オリフィス部材質については、基準ノズルとは異なるほかの材質を具体的に指定できる他、指定しないこともできる。取り付け構造については、図示するように具体的な方式を選択することができる他、 指定しないこともできる。
【００７３】
また、流入方向とスプレーパターンについても、類似条件として選択することができ、画面上に表示されている変更ボタン６４をクリックすれば、選択画面が別ウィンドウとして立ち上がるようになっている。流入方向とスプレーパターンの選択画面であるが、スタンダード検索において説明した図８に示すような画面構成とすることができる。
【００７４】
次に、ノズルの特性として重要な圧力・流量・スプレー角度（噴射角度）について類似条件として選択可能になっている。上記特性のうちでも圧力・流量の関係は特に重要であり、圧力値と流量値の対からなる組み合わせデータについては、ほとんどのノズルカタログに記載されているノズル情報である。図１８に示す例では、圧力値と流量値の組み合わせは９通り（複数）であり、スプレー角度については１つのみデータが存在する。ノズルの型番によっては圧力・スプレー角度の組み合わせデータが複数存在することもある。上記９通りの組み合わせのうちの任意の箇所６５にチェックを入れる。チェックは全くなくてもよいし、１つまたは複数にチェックすることもできる。さらに、類似条件として許容範囲を入力することもできる。許容範囲としては、±の数値を入力欄６６に入力する。許容範囲を入れることにより、ユーザーの要望する特性を有する類似ノズルを確実に検索することができる。許容範囲を絞り込むことにより、件数を絞ることも可能になる。
【００７５】
図１７に表示されている圧力・流量の単位は、カタログに標記されている単位をデフォルト設定としている。ただし、ユーザーによっては、カタログ記載の単位以外の単位で特性を確認したいことがある。そこで、単位換算ボタン６７を設けており、圧力と流量の単位をカタログ記載以外の単位で表示させることも可能である。これにより、ユーザーが普段使用している単位で類似ノズルの特性を確認することができる。なお、単位換算を行った後に、カタログ表示の単位に戻したい場合は、カタログ単位で表示と記載してあるボタン６８をクリックする。また、ノズルの特性について詳細を知りたい場合には、カタログ画像表示ボタン６９をクリックすればよい。
【００７６】
図１８に示すノズルの例では、カタログに記載されているスプレー角度は１つしかないが、圧力・スプレー角度の組み合わせデータが複数ある場合には、圧力・流量の場合と同様に選択できるようにすることができる。
【００７７】
以上のように必要な類似条件を全て入力した後、 検索開始ボタン７０をクリックすることで類似ノズルの検索が開始する。検索を行った結果、類似ノズルが検索されると図１９に示すような、検討結果が画面表示される（＃６，７）。画面の上側には、類似ノズルの類似条件が表示される。これにより、ユーザーは自分が入力した類似条件をあらためて確認することができる。また、基準ノズルを確認したい場合には、基準ノズルの詳細表示ボタンをクリックすれば、基準ノズルの特性を確認することができる（＃１０）。このときの基準ノズルの詳細表示画面は、図１１、 図１２に示した通りの画面構成でよい。
【００７８】
図１９に示す画面の下側には、検索された類似ノズルが一覧表７１として表示される。図示の例では、１つのみが検索されている。検索コードＮｏ．（システムコード) の部分をクリックすれば、類似ノズルの詳細表示をさせることができる（＃９）。この時の表示画面を図２０に示す。表示画面の上側は、図１９と同様である。表示画面の下側には、具体的な詳細結果が表示され、この内容は図１１、 図１２と同じであるので、その一部のみを図２０に図示している。
【００７９】
検索を行った結果、類似ノズルを検索できなかった場合は（＃６）、無検索であったことを画面表示させ（＃８）、ステップ＃５に戻って検索をやり直すようにする。
【００８０】
＜別実施形態＞
（１）本発明の検索システムにおいて、サーバーシステムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。
（２）検索条件の入力形態については、特定の形態に限定されるものではない。プルダウンメニュー方式で選択する形態、入力欄 (ボックス) 内にキーボード等で入力する形態、ラジオボタン形式で選択する形態等を適宜用いることができる。どの項目をどのような入力形態にするかについても、任意に行うことができる。
（３）検索方法として４種類をあげたが、さらに別の検索方法を付加しても良い。
（４）本実施形態では、図１３のフローチャートのステップ＃２において基準ノズルが１件しか検索されなくても、ステップ＃３の画面に移行しているが、これをなくしていきなりステップ＃５における類似条件を入力する画面に移行しても良い。
（５）図１７，１８における類似ノズルの入力フォームは、１例を示したにすぎず、種々の変形例が可能である。
【図面の簡単な説明】
【００８１】
【図１】ノズル情報検索システムの構成を示す概念図
【図２】サーバーシステムの制御ブロック構成を示す図
【図３】サイトマップの構成を示す図
【図４】サイトマップの構成を示す図
【図５】サイトマップの構成を示す図
【図６】検索方法の選択画面の構成例を示す図
【図７】スタンダード検索におけるステップ１の検索画面の構成例を示す図
【図８】スタンダード検索におけるステップ２の検索画面の構成例を示す図
【図９】スタンダード検索におけるステップ３の検索画面の構成例を示す図
【図１０】スタンダード検索における検索結果の一覧表を表示する画面の構成例を示す図
【図１１】スタンダード検索における検索結果詳細表示の画面の構成例を示す図
【図１２】スタンダード検索における検索結果詳細表示の画面の構成例を示す図
【図１３】類似ノズル検索における検索手順を示すフローチャート
【図１４】類似ノズル検索におけるステップ１の検索画面の構成例を示す図
【図１５】類似ノズル検索における無検索結果の画面構成例を示す図
【図１６】類似ノズル検索におけるステップ２の検索画面の構成例を示す図
【図１７】類似ノズル検索におけるステップ３の検索画面の構成例を示す図（その１）
【図１８】類似ノズル検索におけるステップ３の検索画面の構成例を示す図（その２）
【図１９】類似ノズル検索における検索結果の一覧表を表示する画面の構成例を示す図
【図２０】類似ノズル検索における検索結果詳細表示の画面の構成例を示す図
【符号の説明】
【００８２】
１      クライアント装置
２      サーバーシステム
２０    データベース
２１    ノズルカタログ
２２    送受信部
２３    Ｗｅｂページ記憶部
２４    Ｗｅｂページ処理部
２４ａ  表示画面提供手段
２４ｂ  入力フォーム提供手段
２４ｃ  類似条件処理手段
２９    データベース制御部
【図１】
2005107670.tif 000003
【図２】
2005107670.tif 000004
【図３】
2005107670.tif 000005
【図４】
2005107670.tif 000006
【図５】
2005107670.tif 000007
【図６】
2005107670.tif 000008
【図７】
2005107670.tif 000009
【図８】
2005107670.tif 000010
【図９】
2005107670.tif 000011
【図１０】
2005107670.tif 000012
【図１１】
2005107670.tif 000013
【図１２】
2005107670.tif 000014
【図１３】
2005107670.tif 000015
【図１４】
2005107670.tif 000016
【図１５】
2005107670.tif 000017
【図１６】
2005107670.tif 000018
【図１７】
2005107670.tif 000019
【図１８】
2005107670.tif 000020
【図１９】
2005107670.tif 000021
【図２０】
2005107670.tif 000022